(57)【要約】【課題】現実の地形とは異なるフォルムにデフォルメされた電子マップを現在位置マークとともに移動電子端末の画面に表示させる画面表示処理方法を提供する。【解決手段】移動電子端末１０の画面４２に現実の地形とは異なるフォルムにデフォルメされた電子マップと移動電子端末１０の所在地を示す現在位置マークを表示させる。電子マップは画面４２のアスペクト比に合わせて縦横比など表示比率が変換されているため、マップ全体が画面４２に収まり、スクロール機能などを用いることなくマップ全体を閲覧できるようになっている。現在位置マーク６０は、ＧＰＳから取得された現在位置情報に含まれる座標系と画面４２に表示された電子マップの座標系の整合を図るための座標変換が加えられた後に電子マップ上の該当位置に表示される。【選択図】図３
2013083583.tif 000002
【特許請求の範囲】
【請求項１】
現実の地形とは異なるフォルムにデフォルメされた電子マップを現在位置マークとともに移動電子端末の画面に表示させる画面表示処理方法であって、
電子マップの表示対象となる移動電子端末の画面のアスペクト比を取得する工程と、
前記移動電子端末の現在位置情報を取得する工程と、
前記取得された画面のアスペクト比に合わせて前記電子マップの表示比率を変換する工程と、
前記表示比率が変換された電子マップを前記画面に表示させる工程と、
前記取得された現在位置情報に基づいて前記画面に表示された電子マップ上の該当位置に現在位置マークを表示させる工程、を含む画面表示処理方法。
【請求項２】
前記画面に表示された電子マップ上の特定位置にガイドピンを表示させる工程と、前記ガイドピンと関連付けられた前記特定位置に関するガイド情報を前記画面に表示させる工程をさらに含む、請求項１に記載の画面表示処理方法。
【請求項３】
前記特定位置を含む特定領域に対応する現実の地形を表した電子マップを前記画面に表示させる工程をさらに含む、請求項２に記載の画面表示処理方法。
【請求項４】
請求項１乃至３の何れかに記載の画面表示処理方法を移動電子端末に搭載されたコンピュータに実行させるプログラム。
【発明の詳細な説明】
【技術分野】
【０００１】
本発明は、現実の地形とは異なるフォルムにデフォルメされた電子マップを現在位置マークとともに移動電子端末の画面に表示させる技術に関するものである。
【背景技術】
【０００２】
例えば、観光ガイドマップや温泉街マップなど、使用目的に応じて道路の幅や長さ、取り付け角度などがデフォルメされ、現実の地形とは異なる態様で表示された地図は昔から広く利用されている。現実の地形とは異なるフォルムにデフォルメされた電子マップこのような地図は、現在地や目的地を正確に把握することには適していないが、例えば目抜き通りは大きく広く表示し、それ以外は小さく目立たないように表示するなどの工夫がなされていて大変使いやすく、また旅情を掻き立てるような情緒あるデザインと相まって、今でも非常に人気がある。
【０００３】
一方、ここ数年の間に移動型電子端末は目覚ましい速さで普及し、その機能も進化してきている。その中でも特にスマートフォンと呼ばれる機種は、筐体の略全面に広がる大きな画面を備えている点と、また使用者が任意にインストール可能な多数のアプリ（アプリケーションソフトウェア）が用意されている点が従来の携帯電話に対する大きなアドバンテージとなって、販売台数が着実に増加している。しかし、現在のスマートフォンは、ＧＰＳ機能を利用するときの背景図としては実際の地形の縮尺を変えた地図もしくは衛星写真を使用している。そのため、観光地や温泉街などを散策していると、印刷されたガイドマップとスマートフォンを交互に眺めながら目的地を探している光景を目にすることが多い。
【０００４】
特許文献１には、デフォルメされた絵地図を移動型電子端末に表示し、絵地図上に現在位置を表示するようにしたナビゲーションシステムに関する技術が紹介されている。この技術を利用すれば、スマートフォンの画面上にガイドマップを表示させるとともに、ガイドマップ上に現在位置を表示することができるようになる。
【先行技術文献】
【特許文献】
【０００５】
【特許文献１】特開２００２−１８１５６１号公報
【発明の概要】
【発明が解決しようとする課題】
【０００６】
ところで、特許文献１に紹介された技術は、車載用のナビゲーションシステムに関するものであり、目的地への確実な誘導を第一義的な目的としている。そのため、デフォルメの度合いもこの目的から逸脱するものではなく、例えば、ある地域の地図をスマートフォンの画面サイズに合わせた縦横比にデフォルメして表示することまでは示唆されていない。従って、例えば半島全体を観光案内したい場合などに、半島の形状を画面サイズに合わせてデフォルメして表示するような用途には不適である。
【０００７】
本発明は、このような問題点に鑑みてなされたものであり、現実の地形とは異なるフォルムにデフォルメされた電子マップを現在位置マークとともに移動電子端末の画面に表示させる画面表示処理方法ならびにその方法をコンピュータに実行させるプログラムを提供することを目的とする。
【課題を解決するための手段】
【０００８】
本発明の第一の態様は、現実の地形とは異なるフォルムにデフォルメされた電子マップを現在位置マークとともに移動電子端末の画面に表示させる画面表示処理方法であって、電子マップの表示対象となる移動電子端末の画面のアスペクト比を取得する工程と、前記移動電子端末の現在位置情報を取得する工程と、前記取得された画面のアスペクト比に合わせて前記電子マップの表示比率を変換する工程と、前記表示比率が変換された電子マップを前記画面に表示させる工程と、前記取得された現在位置情報に基づいて前記画面に表示された電子マップ上の該当位置に現在位置マークを表示させる工程、を含む画面表示処理方法として構成される。
【０００９】
現実の地形とは異なるフォルムにデフォルメされた電子マップ（以下、デフォルメマップという。）とは、使用目的に応じて道路の幅や長さ、取り付け角度、ランドマークとなる施設や建物の大きさや位置などが変更され、現実の地形とは異なる態様で表示された電子マップである。デフォルメマップは、地形の正確性よりも、情報を見やすく整理したものなど使い勝手のよさに重きをおいた電子マップであり、観光地ガイドや温泉街ガイドなど、旅情を掻き立てるような演出が求められる分野において多用されている。
【００１０】
デフォルメマップの利便性を高めるためには、マップに表された全ての領域をスクロール機能などを使用することなく一画面で閲覧することができるようにすることが望ましいといえる。本発明は、デフォルメマップの表示比率、特に縦横比を、表示しようとする移動電子端末の画面のアスペクト比に合わせて変換することで、一画面にマップ全体を表示することができるように構成されている。
【００１１】
移動電子端末の現在位置情報は、多くの移動電子端末に搭載されているＧＰＳ機能を利用して取得する。これ以外にも、移動電子端末が通信可能な状態にあれば、キャリアが所有する基地局からの位置情報の提供サービスを受けることでも取得することができる。
【００１２】
取得された現在位置情報には緯度データおよび経度データが含まれており、これに基づいて、画面に表示されたデフォルメマップ上の該当位置に移動電子端末の所在を示す現在位置マークが表示される。しかし、現実の地形とは異なる地形を表したデフォルメマップは、マップ上の緯度および経度を示す座標系が現実の座標系とは異なるため、取得された現在位置情報をそのまま利用することはできない。また画面表示に際して表示比率が変換されたデフォルメマップは座標系がさらに変換されている。本発明は、現在位置マークを表示させるに際し、取得された現在位置情報に含まれる座標系と画面に表示されたデフォルメマップの座標系の整合を図り、取得された現在位置情報に座標変換を加えた後にデフォルメマップ上の該当位置に表示するように構成されている。
【００１３】
本発明は、前記構成に加えて、前記画面に表示された電子マップ上の特定位置にガイドピンを表示させる工程と、前記ガイドピンと関連付けられた前記特定位置に関するガイド情報を前記画面に表示させる工程をさらに含むように構成することもできる。
【００１４】
前記画面に表示された電子マップ上の特定位置とは、デフォルメマップの表示領域内に存在する施設や場所のうち予め特定されたものの所在地である。これらの施設や場所はデフォルメマップ上にガイドピンでその位置が表示される。ガイドピンには、施設や場所に関するガイド情報が関連付けられており、例えばガイドピンをタップすることで、これらのガイド情報がデフォルメマップと切り替わって表示されるか、もしくはデフォルメマップ上に別枠で表示される。
【００１５】
本発明は、前記構成に加えて、前記特定位置を含む特定領域に対応する現実の地形を表した電子マップを前記画面に表示させる工程をさらに含むように構成することもできる。
【００１６】
特定領域とは、ガイドピンで位置表示された特定位置とその周辺を含む領域である。これらの特定地域に関しては、予め現実の地形を表した電子マップ（以下、リアルマップという。）データが記憶されているか、もしくは通信機能を用いて外部から取得できるようにしておく。
【００１７】
本発明の第二の態様は、現実の地形とは異なるフォルムにデフォルメされた電子マップを現在位置マークとともに移動電子端末の画面に表示させる画面表示処理方法であって、電子マップの表示対象となる移動電子端末の画面のアスペクト比を取得する工程と、前記移動電子端末の現在位置情報を取得する工程と、前記取得された画面のアスペクト比に合わせて前記電子マップの表示比率を変換する工程と、前記表示比率が変換された電子マップを前記画面に表示させる工程と、前記取得された現在位置情報に基づいて前記画面に表示された電子マップ上の該当位置に現在位置マークを表示させる工程、を含む画面表示処理方法を移動電子端末に搭載されたコンピュータに実行させるプログラムとして構成される。
【発明の効果】
【００１８】
本発明によれば、現実の地形とは異なるフォルムにデフォルメされた電子マップの全体が一画面に表示され、その電子マップ上に現在位置マークが表示されるため、観光ガイドマップや温泉街マップなどの情緒あるマップデザインを楽しみながらも正確な現在位置を確認することが可能なナビゲーションシステムを実現することができる。
【図面の簡単な説明】
【００１９】
【図１】移動電子端末のデバイス構成を示すブロック図
【図２】移動電子端末における画像表示処理のフローチャート
【図３】デフォルメマップの表示例を示す図
【図４】基本情報の表示例を示す図
【図５】詳細地図の表示例を示す図
【図６】クチコミ情報の表示例を示す図
【発明を実施するための形態】
【００２０】
本発明の実施の形態の移動電子端末のデバイス構成を図１に示している。移動電子端末１０は、中央演算処理装置１２、主記憶装置１４、補助記憶装置１６、ネットワーク装置１８、描画処理装置２０、タッチパネルディスプレイ２２、ＧＰＳユニット２４、各種操作ボタン２６、外部機器インターフェイス２８により構成されている。外部機器インターフェイス２８は、フラッシュメモリなどの外部記憶装置３０、外付けキーボードや外部ディスプレイなどの外部入出力機器３２などとの接続部分であり、所定の形状を有するコネクタを備えている。
【００２１】
中央演算処理装置１２は、プロセッサによって構成され、プログラムに従って電子マップ表示に関する様々な情報の処理を行う。主記憶装置１４は、中央演算処理装置１２が処理をを実行する際にプログラムおよび関連データをロードする領域である。これらのプログラムおよびその実行に必要な関連データは補助記憶装置１６に保存されている。
【００２２】
関連データには、電子マップデータ、ガイド情報データ、移動電子端末機種データが含まれており、これらのデータは、ネットワーク装置１８を通じてインターネット上のダウンロードサイトからダウンロードするか、外部機器インターフェイス２８を通じて外部から入力する。
【００２３】
電子マップデータは、観光地や温泉街など人が娯楽のために訪れるエリアについて、現実の地形とは異なるフォルムにデフォルメされた電子マップ（以下、デフォルメマップという。）に関するデータである。デフォルメマップは、例えば目印になるようなランドマークや観光のメインルートとなる道路などを観光地ガイドマップや温泉街ガイドマップに見られるように漫画絵的に表すなど、現実の地形とは異なるフォルムにデフォルメした電子マップである。
【００２４】
電子マップデータは、山や河川などの自然地形情報、道路や鉄道などの交通インフラ情報、住宅や施設などの都市機能情報などで構成されている。これらのデータには位置情報（緯度データおよび経度データ）が含まれているが、デフォルメマップ上の該当位置に正しく表示されるように、位置情報はデフォルメマップの座標系と整合が図られている。
【００２５】
移動電子端末機種データは、デフォルメマップの表示対象となる移動電子端末機種の画面に関するデータである。主要な移動電子端末機種毎のピクセル数（幅×高さ）が予めインプットされている。デフォルメマップは表示対象となる画面の画素数およびアスペクト比に合わせて最も見やすくなるように最適化されて表示される。例えば、図３に示すように、福岡県の糸島半島のデフォルメマップを表示する場合、移動電子端末１０の画面４２のアスペクト比に合わせて縦長に変形して表示する。このようにすることで、半島全体が観光地（プレイスポット）である糸島地区の全体を一画面に表示することができるようになる。これにより、スクロール機能やズーム機能を用いることなく全体像を認識することができるようになるため、観光地ガイドマップや温泉街ガイドマップとしての利便性が向上する。
【００２６】
ガイド情報データは、デフォルメマップ上の特定位置に関するガイド情報で構成されている。特定位置とは、予め経緯データがインプットされた施設や観光スポット、プレイスポットの所在地のことであり、図３に示すようにデフォルメマップ上の該当位置にガイドピン４４で表示される。ガイドピン４４をタップすると、図４に示すようにデフォルメマップ上にポップアップウィンドウ４６が表示され、ウィンドウ内にガイド情報が表示される。
【００２７】
ポップアップウィンドウ４６には３つのメニューがあり、ウィンドウ下部の３つのタブ、基本情報タブ４８、詳細地図タブ５０、クチコミ情報タブ５２をタップすることで表示内容の切り替えが可能である。なお、ガイドピン４４をタップしたときには基本情報がデフォルトメニューとして表示されるようになっている。ポップアップウィンドウ４６は、右上にあるサイズ変更ボタン５４をタップすることでウィンドウサイズを変更することができる。
図４に示したポップアップウィンドウ４６はデフォルトサイズであり、この状態でサイズ変更ボタン５４をタップすれば画面４２の全面に拡大して表示させることができる。再度アップすることでデフォルトサイズに戻る。
【００２８】
基本情報としては、特定位置が店舗である場合は、店舗名、電話番号、ＵＲＬ、住所、営業時間等の情報が表示される。ＵＲＬについてはタブをタップすることでネットワーク装置１８を通じて直接アクセスすることができる。特定位置が観光スポットである場合は、名称、画像、説明などが表示される。なおポップアップウィンドウ４６内にメモ機能を設け、任意にコメントを記入できるようにしてもよい。
【００２９】
詳細地図タブ５０をタップすると、ネットワーク装置１８を通じて、インターネット上でＧｏｏｇｌｅ（登録商標）やＹａｈｏｏ（登録商標）などが提供するマップのＵＲＬに自動でアクセスし、図５に示すようにポップアップウィンドウ４６内に表示する。ポップアップウィンドウ４６内に表示される詳細地図は現実の地形を表したリアルマップであるため、現在地と目的地を結ぶ詳細な道路地図を確認したり、目的地までの距離などを確認したりしたいときに利用することができる。
【００３０】
クチコミ情報タブ５２をタップすると、ネットワーク装置１８を通じて、予め関連付けられたＷｅｂサイトのクチコミ情報がポップアップウィンドウ４６内に表示される。Ｗｅｂサイト上の表記をそのまま表示するようにしてもよいし、画面４２のピクセル数に合わせて再構成して表示するようにしてもよい。また、ポップアップウィンドウ４６上で、Ｔｗｉｔｔｅｒ（登録商標）やＦａｃｅｂｏｏｋ（登録商標）などのＳＮＳサービスを使用してクチコミ情報を参照したり、さらには投稿したりすることもできる。
【００３１】
中央演算処理装置１２は、描画処理装置２０を通じて、デフォルメマップ、ガイドピン４４、ポップアップウィンドウ４６などを画面４２に表示させる。その際、画面４２のピクセル数に合わせて表示の最適化を行う。最適化は、デフォルトマップの表示アスペクト比、テキストサイズ、ガイドピンおよび現在地ピンのサイズなどに関して行われる。
【００３２】
また中央演算処理装置１２は、ＧＰＳユニット２４を通じて移動電子端末１０の現在位置情報（緯度データおよび経度データ）を取得し、描画処理装置２０を通じてデフォルメマップ上の該当位置に現在位置マーク６０を表示させる。その際、ＧＰＳユニット２４を通じて取得した位置情報は、デフォルメマップの座標系とアスペクト比の変更との整合を図るために座標変換される。この座標変換後の位置情報に基づいてデフォルメマップ上の該当位置に現在位置マーク６０が表示される。
【００３３】
本発明の実施の形態の移動電子端末における画像表示処理フローチャートを図２に示している。なお、画像表示処理に必要なプログラムおよび各種データは既にダウンロードもしくはインストールされている状態とする。
【００３４】
Ｓ１において、移動電子端末１０のタッチパネルディスプレイ２２もしくは各種操作ボタン２６の操作によりプログラムを起動させると、中央演算処理装置１２は、補助記憶装置１６から移動電子端末機種データを読み込む。Ｓ２において、中央演算処理装置１２は、移動電子端末１０の画面４２のピクセル数に合わせて画面表示の最適化を行う。最適化は、デフォルトマップの表示アスペクト比、テキストサイズ、ガイドピンおよび現在地ピンのサイズなどに関して行われる。Ｓ３において、中央演算処理装置１２は、補助記憶装置１６から電子マップデータおよびガイド情報データを読み込み、描画処理装置２０を通じて、最適化されたデフォルトマップを画面４２に表示させる。
【００３５】
Ｓ４において、中央演算処理装置１２は、ＧＰＳユニット２４を通じて、移動電子端末１０の現在位置情報（緯度データおよび経度データ）を取得する。Ｓ５において、中央演算処理装置１２は、ＧＰＳユニット２４を通じて取得した緯度データおよび経度データを画面４２に表示されたデフォルメマップの座標系と整合するように座標変換し、変換後の座標に基づいてデフォルメマップ上に現在位置マーク６０を表示させる。中央演算処理装置１２は、移動電子端末１０のユーザーが移動した場合など、ＧＰＳユニット２４を通じて取得した緯度データおよび経度データに変化があったときには、Ｓ５の座標変換を随時実行する。
【００３６】
Ｓ１乃至Ｓ５はプログラムを起動させると自動的に実行される画像表示処理である。これらの画像表示処理により、デフォルトマップ上にリアルタイムの現在地が表示されるため、移動電子端末１０のユーザーは、デフォルメマップの使い勝手の良さを堪能しながらも現在位置マーク６０により正確な現在位置を確認することができる。
【００３７】
Ｓ６において、ユーザーがデフォルトマップ上の複数の特定位置に表示されたガイドピン４４の中から任意のガイドピン４４を選択し、画面４２をタップする。Ｓ7において、中央演算処理装置１２は、補助記憶装置１６から選択された特定位置に関するガイド情報データを読み込み、描画処理装置２０を通じてポップアップウィンドウ４６内に表示させる。
デフォルトマップは
【００３８】
Ｓ８において、ユーザーがポップアップウィンドウ４６内の詳細地図タブ５０を選択し、画面４２をタップする。Ｓ９において、中央演算処理装置１２は、ネットワーク装置１８を通じて外部Ｗｅｂサイトからリアルマップデータを読み込み、ポップアップウィンドウ４６内に表示させる。なおリアルマップデータは外部Ｗｅｂサイトから読み込む場合が多いと思われるが、補助記憶装置１６に予め記憶させたデータを読み込むようにしてもよい。通信状態が不安定なところではデータの通信速度が遅くなるなどのストレスフルな状態となるため、そのような場合には補助記憶装置１６からリアルマップデータを読み込むようにした方が利便性が高い。
【００３９】
ユーザーは必要に応じて外部Ｗｅｂサイトから特定位置に関するクチコミ情報を参照することができる。移動電子端末１０が通信回線と接続されている状態であれば、ユーザーがクチコミ情報タブ５２をタップすると、中央演算処理装置１２は、ネットワーク装置１８を通じて外部のクチコミ情報を読み込み、描画処理装置２０を通じてポップアップウィンドウ４６内に表示させる。
【符号の説明】
【００４０】
１０    移動電子端末
１２    中央演算処理装置
１４    主記憶装置
１６    補助記憶装置
１８    ネットワーク装置
２０    描画処理装置
２２    タッチパネルディスプレイ
２４    ＧＰＳユニット
２６    操作ボタン類
２８    外部機器インターフェイス
３０    外部記憶装置
３２    外部入出力機器
４２    画面
４４    ガイドピン
４６    ポップアップウィンドウ
４８    基本情報タブ
５０    詳細地図タブ
５２    クチコミ情報タブ
５４    サイズ変更ボタン
６０    現在位置マーク
【図１】
2013083583.tif 000003
【図２】
2013083583.tif 000004
【図３】
2013083583.tif 000005
【図４】
2013083583.tif 000006
【図５】
2013083583.tif 000007
【図６】
2013083583.tif 000008